(57)【特許請求の範囲】
【請求項１】
火災時等に降下して開口部を全閉する防火用スクリーンにおいて、防火用スクリーンはスクリーン本体と該本体に避難用開口部を形成する開閉自在の扉スクリーンとを有しており、
該スクリーン本体の下端には開口全幅に延出する座板を設けると共に、該座板には補助バーが長さ方向中間部位を介して前後方向に回動自在に設けてあり、該補助バーの長さ方向両端は自由端であると共に、該補助バーは長さ方向中間部位において上下方向に屈曲自在であり、
該扉スクリーンの下端には該中間部位を中心とした該補助バーの一方の半部が連結されており、
該スクリーン本体には該扉スクリーンの戸尻側に位置して挿通孔が形成されていると共に、該スクリーン本体には該挿通孔を被覆する被覆スクリーンが該扉スクリーンの開放方向と反対側に開放可能に設けてあり、該被覆スクリーンの下端には該補助バーの他方の半部が連結されていることを特徴とする防火用スクリーン。
【請求項２】
前記スクリーン本体は戸先側同士を重合させてなる開閉自在の扉スクリーン及び補助スクリーンを有しており、扉スクリーン閉鎖時には、該扉スクリーンの戸先側部位は該スクリーン本体と該補助スクリーンとの間に挟持されており、避難時に該扉スクリーンを開放すると、互いに重合している戸先側部位を介して該補助スクリーンも開放されるように構成されていることを特徴とする請求項１に記載の防火用スクリーン。
【請求項３】
前記スクリーン本体に形成した挿通孔は、該被覆スクリーンが重合する側と反対側から補助シートによって被覆されており、該補助シートは該挿通孔との流体連通部を形成するように該スクリーン本体に設けてあることを特徴とする請求項１，２いずれかに記載の防火用スクリーン。
【請求項４】
前記補助バーは、補助バー本体と延出部とから形成されており、該本体は該延出部に対して上下方向に回動自在に連結されており、該本体には該扉スクリーンの下端が連結されており、該延出部の下端には該被覆スクリーンの下端が連結されていることを特徴とする請求項１乃至３いずれかに記載の防火用スクリーン。
【発明の詳細な説明】
【０００１】
【発明の属する技術分野】
本発明は、避難用開口部を備えた防火用スクリーンの構造に関するものである。
【０００２】
【従来の技術】
現在、シートシャッターを防火シャッターとして採用しようとする試みがなされている。防火用シートシャッターにおいては避難用開口部を設ける必要があることから、防火用スクリーンに開閉自在の扉スクリーンを形成して避難用開口部を構成している。このような扉スクリーンにおいては、防火・遮煙性能を確保するべく、扉スクリーンの戸先側と、本体スクリーンとの間に重合部を形成するようにしている。しかしながら、このものでは、本体スクリーンと扉スクリーンとの重ね合わせ部に隙間が生じてしまう場合があり、防火・遮煙性能が不十分であった。
【０００３】
また、火災時に防火スクリーンが降下して防火部位を区画した際に、防火スクリーンには防火部位から風圧が作用する。したがって、かかる風圧によって扉スクリーンが開放してしまうという不具合が生じる惧れがあった。
【０００４】
【発明が解決しようとする課題】
本発明は、上記不具合を解決するために創案されたものであって、良好に避難開口部を形成するものでありながら、防火・遮煙性能に優れた防火スクリーンを提供することを目的とするものである。本発明の他の目的は、防火スクリーンに風圧が作用した場合であっても、防火区画と非防火区画との間に挿通開口部が生じることがないような防火スクリーンを提供することにある。
【０００５】
【課題を解決するための手段】
かかる課題を達成するために本発明が採用した技術手段は火災時等に降下して開口部を全閉する防火用スクリーンにおいて、防火用スクリーンはスクリーン本体と該本体に避難用開口部を形成する開閉自在の扉スクリーンとを有しており、該スクリーン本体の下端には開口全幅に延出する座板を設けると共に、該座板には補助バーが長さ方向中間部位を介して前後方向に回動自在に設けてあり、該補助バーの長さ方向両端は自由端であると共に、該補助バーは長さ方向中間部位において上下方向に屈曲自在であり、該扉スクリーンの下端には該中間部位を中心とした該補助バーの一方の半部が連結されており、該スクリーン本体には該扉スクリーンの戸尻側に位置して挿通孔が形成されていると共に、該スクリーン本体には該挿通孔を被覆する被覆スクリーンが該扉スクリーンの開放方向と反対側に開放可能に設けてあり、該被覆スクリーンの下端には該補助バーの他方の半部が連結されていることを特徴とするものである。
【０００６】
スクリーン本体と扉スクリーンとは別体でもよく、あるいはスクリーン本体の一部が扉スクリーンを構成するものであってもよい。スクリーン本体は一枚のシートから構成してもよく、あるいは複数枚のシートを縫着することで構成してもよい。例えば、スクリーン本体を幅方向端部同士を互いに重合させてなる二つのシート体から構成し、該重合部位を戸先側として一方のシート体を開放することで避難用開口部を形成する。あるいは、一枚のスクリーン本体に下端から上方に向かって延出するスリットを形成し、該スリット部に帯状のシート体を縫着することで重合部を形成してもよい。
【０００７】
好ましくは、スクリーン本体と重合した扉スクリーンの戸先側部位に、該スクリーン本体とは反対側から補助スクリーンの戸先側部位が重合するように構成される。さらに、好ましくは、前記補助スクリーンの戸先側端縁には上下方向に延出する巻取り自在の板バネが設けてある。板ばねを設けることで、可撓性のシートに張りを持たせることができ、良好に補助スクリーンを開放することができる。また、前記扉スクリーンの戸先側端縁にも上下方向に延出する巻取り自在のワイヤーを設けてもよい。また、好ましくは、該補助スクリーンの戸先側端縁は、幅方向に漸次突出しながら下方から上方に向かって傾斜状に延出している。こうすることで、閉鎖時には良好な防火・遮煙性能を有するものでありながら、開放時における補助スクリーンの抵抗を少なくすることができる。
【０００８】
好ましくは、前記スクリーン本体に形成した挿通孔は、該被覆スクリーンが重合する側と反対側から補助シートによって被覆されており、該補助シートは該挿通孔との流体連通部を形成するように該スクリーン本体に設けてあることを特徴とする。
【０００９】
【発明の実施の形態】
本発明の実施の形態を図面に基づいて説明する。防火用シートシャッターは建物内部の防火区画部位に設置されている。防火用シートシャッターは、該防火区画部位の上方に軸架された巻取シャフト１と、火災時に上方から下降して開口部を全閉するスクリーン本体２と、該防火区画部位の左右の壁面に立設されたガイドレール３とを備えている。スクリーン本体２の幅方向端部には高さ方向に所定間隔を存して図示しない複数の抜け止め部材が設けてあり、抜け止め部材をガイドレール３内に位置させることで、スクリーン２がガイドレール３から抜け出すことを防止している。
【００１０】
スクリーン本体２は、第一シート体４、第二シート体５、補助スクリーン６とから構成されている。第一シート体４は、全閉時において、建物開口部の寸法に対応する方形状のシートの正面視右側部位を下端から上方に向かって長方形状に切り欠くことで形成されている。第二シート体５は、該長方形状の切り欠き部に対応する形状・寸法を備えており、該切り欠き部より若干大きい面積を有する長方形状のシートから構成されている。
【００１１】
第二シート体５を第一シート体４に形成された切り欠き部を塞ぐようにあてがい、第一シート体４の切り欠き部の周縁部４ａ，４ｂと第二シート５の上側周縁部５ａ、左側周縁部５ｂを重合させ、周縁部４ａと周縁部５ａとを縫着することで、第一シート４と第二シート５とを一体化させて、スクリーン本体２が形成されている。こうすることで、周縁部４ｂと周縁部５ｂとの重合部位Ｏが形成されている。そして、第一シート体４の一部が重合部位Ｏを戸先側とする避難開口用の扉スクリーン４０を構成することになる。
【００１２】
スクリーン本体２（実施の形態のものでは第一シート体４）には、重合部位Ｏとは反対側（扉スクリーン４０の戸尻側）に位置して、上下に延出するスリット状の挿通部１３が形成されている。挿通部１３はスクリーン本体２（第一シート体４）に開閉自在の設けた被覆スクリーン１４によって隠蔽される。被覆スクリーン１４は、扉スクリーン４０の戸尻側に位置して、かつ扉スクリーン４０の開放方向とは反対側においてスクリーン本体２に縫着されている。さらに、挿通部１３は被覆スクリーン１４が重合する側と反対側において、長方形状の被覆シート１５によって被覆されている。
【００１３】
スクリーン本体２の下端（すなわち、第一シート体４と第二シート体５の下端）には、開口幅全体に延出する座板７が設けてある。座板７は、立ち上がり部８とフラット部９とから略逆Ｔ形状の断面を有している。座板７は、立ち上がり部８を介してシート体４，５の下端に連結され、開口部全閉時にはフラット部９の下面が床面に当接するようになっている。
【００１４】
第一シート体４、第二シート体５の下端は共に立ち上がり部８を介して座板７に装着されているが、座板７には座板７とは別体の補助バー１０が設けてある。補助バー１０は補助バー本体１０ａと延出部１０ｂとからなり、扉スクリーン４０の下端は本体１０ａと，被覆スクリーン１４の下端は延出部１０ｂとそれぞれ連結されている。座板７は開口幅全体に延出するフラット部９と補助バー本体１０ａに対応する部位を切り欠いてなる立ち上がり部８とから形成されている。第一シート体４の下端において重合部位Ｏより所定長にわたって設けられた補助バー本体１０ａは前記切り欠き部に対応している。補助バー１０の長さは座板７の切り欠き部の長さよりさらに大きい寸法を有しており、補助バー延出部１０ｂは座板７の立ち上がり部８と重合している。
【００１５】
補助バー１０の長さ方向両端は自由端である。補助バー１０は座板７に対して長さ方向中間部位を介して前後方向すなわち水平方向に回動自在に設けてある。補助バー１０は長さ方向中間部位（補助バー１０の本体１０ａと延出部１０ｂの境界部位）に設けた板ばね１１を介して、第二シート下端の座板の立ち上がり部８に連結されており、板ばね１１を介して前後方向すなわち水平方向に回動自在である。尚、補助バーを前後方向に回動させる手段は板ばねに限定されるものではなく、例えば座板に回動軸を設けたものでもよい。
【００１６】
さらに補助バー１０は長さ方向中間部位において上下方向に屈曲自在である補助バー１０を上下方向に屈曲自在とする手段は、例えば、補助バー１０を本体１０ａとそれとは別体の延出部１０ｂとから構成し、本体１０ａと延出部１０ｂとを回動軸を介して連結し、延出部１０ｂに対して本体１０ａを上下方向に回動自在とすればよい。
【００１７】
扉スクリーン４０の下端には長さ方向中間部位を中心とした補助バー１０の一方の半部（本体１０ａ）が連結されている。すなわち、第一シート体４の一部が避難開口用の扉スクリーン４０を構成しており、扉スクリーン４０の下端には補助バー１０（本体１０ａ）が装着されている。補助バー１０の他方の半部（延出部１０ｂ）にはスクリーン本体２（第一シート体４）に開閉自在に設けた被覆スクリーン１４の下端が連結されている。
【００１８】
補助バー１０（補助バー本体１０ａ）の戸先側（重合部位側）の端部は第二シート体５の下端の座板の立ち上がり部８に対して着脱自在に磁着されている。第二シート体５側の立ち上がり部８の面部には図示しない磁石が設けてあり、扉スクリーン４０の下端の補助バー本体１０ａの戸先側端部１０ｃには図示しないスチール製の磁石プレートが装着されている。
【００１９】
第一シート体４と第二シート体５とは幅方向端部同士を互いにオーバーラップさせて設置されている。第一シート体４の下端側には座板７から独立した補助バー１０が装着することで自由端となっており、避難時には第一シート体４の重合部側を押しながら重合部位Ｏを戸先側として第一シート体４を開放させて脱出するように構成されている。
【００２０】
補助スクリーン６は正面視幅狭の逆台形状であり、長辺からなる上辺６ａと、短辺からなる下辺６ｂと、上下方向に傾斜状に延出する一の縦辺６ｃ（左辺）と、鉛直方向に延出する他の縦辺６ｄ（右辺）とを有している。補助スクリーン６は、第一シート４と第二シート５との重合部位Ｏに合わせて、扉スクリーン４０の戸先側端縁を覆うようにして、第一シート４、第二シート５とからなるスクリーン本体２にそれぞれ縫着されている。具体的には、補助スクリーン６の上辺６ａおよび縦辺６ｄに沿って逆Ｌ字状に第一シート４、第二シート５に縫着されており、補助スクリーン６は縦辺６ｃを戸先側として開閉自在となっている。
【００２１】
補助スクリーン６には、傾斜状の縦辺６ｃに沿って長尺状の板ばね１２が設けてある。板ばね１２は、例えば縦辺６ｃを袋状に形成することで、袋部に板ばね１２を内装するように構成される。板ばね１２は湾曲状に膨出した断面視皿状の形状を有しており、補助スクリーン６と共に巻取り自在となっている。板ばね１２は凹部側を内側として巻回するようになっており、このような巻取り自在の長尺状板材は巻尺等において公知である。
【００２２】
被覆スクリーン１４は上辺１４ａ、下辺１４ｂ、左右の縦辺１４ｃ，１４ｄから方形状に形成されている。上辺１４ａおよび一方の縦辺１４ｃがシート本体２（第一シート４）に縫着されており、下辺１４ｂは補助バー１０の延出部１０ｂに連結されている。被覆スクリーン１４は一方の縦辺１４ｃと戸尻側、他方の縦辺１４ｄ側を戸先側としてシート本体２に開閉自在に装着されている。扉スクリーン４０の戸尻側と被覆スクリーン１４の戸尻側とは略同じ位置（本体１０ａと延出部１０ｂの会合部位）である。
【００２３】
被覆シート１５は縦長方形状のシートであり、挿通部１３全体を被覆するようにしてシート本体２（第一シート体４）に縫着されている。被覆シート１５の周縁には縫着されていない部位が設けてあり（図示のものでは、上辺１５ａ、下辺１５ｂ、左右の縦辺１５ｃ１５ｄのうち、一方の縦辺１５ｃ）、縦辺１５ｃとシート体２との隙間によって挿通部１３と防火用スクリーンで区画された部位とを流体連通している。被覆シート１５によって挿通部１３を被覆することで、挿通部１３が防火用スクリーンによって区画された部位同士を流体連通させるものでありながら、直通の貫通孔を構成するものではないよう手当てしている。
【００２４】
戸先側を互いに重合させてなる両開き戸状の扉スクリーン４０および補助スクリーン６を備えたスクリーン本体２において、スクリーン本体２の全閉時で、かつ扉スクリーン４０の閉鎖時には、扉スクリーン４０の戸先側が第二シート体５および補助スクリーン６によって両側から挟持された状態なので、防火・遮煙性能が良好である。避難時に、扉スクリーン４０を押すと、重合する戸先側部位を介して補助スクリーン６も開放されるので、避難用開口部を良好に形成することができる。
【００２５】
扉スクリーン４０を開放する方向に風圧が作用するような場合には、挿通部１３を介して被覆スクリーン１４がシート本体２（第一シート４）に密着するようになる。扉スクリーン４０と被覆スクリーン１４とは補助バー１０を介して一体化されているので、扉スクリーン４０を開放させようとする力は被覆スクリーン１４がシート本体２に密着する力によって打ち消され、風圧によって扉スクリーン４０が開放されることがない。また、被覆スクリーン１４がシート本体２に密着する力は、避難時に扉スクリーン４０を容易に開放させることを妨げない程度のものである。
【００２６】
【発明の効果】
本発明によれば、火災時の熱風によって発生する風圧による力が扉スクリーンを開放させようとしても、かかる力は被覆スクリーンがシート本体に密着する力によって打ち消され、風圧によって扉スクリーンが開放されることがない。
【図面の簡単な説明】
【図１】防火スクリーンの実施の形態を示す正面図および平面図である。正面図において、被覆スクリーンおよび補助バー延出部は裏側に位置している。
【図２】 図１を裏側から見た背面図であり、被覆スクリーンおよび補助バー全体を表している。
【図３】図１において避難者が避難用開口部を形成した状態を示す正面図である。
【図４】図１において避難者が避難用開口部を形成した状態を示す側面図（ａ）および平面図（ｂ）である。
【図５】第一シート体、第二シート体、補助スクリーン、被覆スクリーン、被覆シートを別体で示す概略正面図である。
【図６】補助バーの構成を示す図であり、（ａ）は上下回動構成を示す図、（ｂ）は全体平面図である。
【図７】（ａ）は補助バーと座板との位置関係を示す正面図、（ｂ）は（ａ）の平面図であり、前後方向（水平方向）の回動構成を示している。
【符号の説明】
２    スクリーン本体
４    第一シート体
５    第二シート体
４０  扉スクリーン
６    補助スクリーン
１３  挿通部
１４  被覆スクリーン
１５  被覆シート
【図１】
0003677619.tif 000002
【図２】
0003677619.tif 000003
【図３】
0003677619.tif 000004
【図４】
0003677619.tif 000005
【図５】
0003677619.tif 000006
【図６】
0003677619.tif 000007
【図７】
0003677619.tif 000008